(57)【要約】【課題】  通信機器からのカメラ装置への制御指示を調停する技術を提供する。【解決手段】  外部の通信機器と双方向通信できる通信手段を有するカメラ装置であって、撮影対象画像の表示部と、前記表示部に表示されている撮影対象画像を外部機器へ前記通信手段が送出した後、この外部機器からの制御指示を前記通信手段が受信しこの制御指示を前記表示部へ表示する制御指示手段と、この制御指示に対応する外部からの操作によりこの制御指示を実行することを特徴とするカメラ装置。【選択図】      図５
2009182611.tif 000002
【特許請求の範囲】
【請求項１】
外部の通信機器と双方向通信できる通信手段を有するカメラ装置であって、
撮影対象画像の表示部と、
前記表示部に表示されている撮影対象画像を外部機器へ前記通信手段が送出した後、この外部機器からの制御指示を前記通信手段が受信しこの制御指示を前記表示部へ表示する制御指示手段を有するカメラ装置。
【請求項２】
前記表示部へ前記制御指示をアイコンに変換し表示するOSD(On Screen Display)機構を更に備えたことを特徴とする請求項１に記載のカメラ装置。
【請求項３】
外部の複数の通信機器からの制御指示を調停する調停機構を更に備え、
この調停機構の調停結果において制御指示を受付けた通信機器に対しては制御指示を受付けた旨の送信を行い、制御指示を受付けなかった通信機器に対しては制御指示を受付けなかった旨の送信を行うことを特徴とする請求項１に記載のカメラ装置。
【請求項４】
外部のカメラ装置と双方向通信できる通信手段を有する通信機器であって、
前記カメラ装置の撮影対象画像を受信し表示する表示手段を備え、
この表示手段に表示されている前記撮影対象画像に関する外部からのコマンドを前記カメラ装置への制御指示として前記通信手段を介して送出することを特徴とする通信機器。
【請求項５】
前記カメラ装置への制御指示が受付けられた旨を前記通信手段が受信した場合には制御指示が受付けられた旨の表示を前記表示手段が行い、制御指示が受付けられなかった旨を前記通信手段が受信した場合には制御指示が受付けられなかった旨の表示を前記表示手段が行うことを特徴とする請求項４に記載の通信機器。
【請求項６】
請求項１に記載のカメラ装置と請求項４に記載の通信機器とからなることを特徴とするカメラシステム。
【発明の詳細な説明】
【技術分野】
【０００１】
本発明は、通信機器から制御指示を受信するカメラ装置に関する。
【背景技術】
【０００２】
通信機器から制御指示を受信するカメラ装置に関しては、提案がなされてきている。
例えば特許文献１にあるものは、概要として携帯電話機からカメラに電話をかけると、カメラに登録してある電話番号により認証を行い、カメラで撮影中の映像が携帯電話機に送信され、携帯電話機のディスプレイに表示されるというものである。次に携帯電話機の画面で構図を確認し、撮影実行の指令をカメラに送信する。
【０００３】
また特許文献２にあるものは、通信手段を持ち、撮影したデータを送信するものである。但し送り先から、送られてきたカメラアングルに関する制御をする機構はない。
【０００４】
ところでこれらは携帯電話機等の通信機器の所持者とカメラ装置を操作する撮影者とのコミュニケーションをする目的には沿わず、例えば１つの撮影データに関して、複数端末から排他的に制御指示はくるが制御権はない場合等の調停するしくみをもたないという問題がある。
【特許文献１】特開２００４−３６１４６４号公報（図１）
【特許文献２】特開平１１−２９８８６９号公報（図３）
【発明の開示】
【発明が解決しようとする課題】
【０００５】
本発明は、撮影者がカメラのアングル等のカメラの使い方に関して第3者と相談しながら撮影を行うことができることを目的としており、このとき複数の通信機器からのカメラ装置への制御指示を調停する技術を提供することを目的とする。
【課題を解決するための手段】
【０００６】
上記課題を解決するために、本発明のカメラ装置は、外部の通信機器と双方向通信できる通信手段を有するカメラ装置であって、撮影対象画像の表示部と、前記表示部に表示されている撮影対象画像を外部機器へ前記通信手段が送出した後、この外部機器からの制御指示を前記通信手段が受信しこの制御指示を前記表示部へ表示する制御指示手段と、この制御指示に対応する外部からの操作によりこの制御指示を実行することを特徴とする。
【発明の効果】
【０００７】
本発明によれば、撮影者と複数の第3者が調停をとりながらコミュニケーションをとりながら撮影できるカメラ装置を提供できる。
【発明を実施するための最良の形態】
【０００８】
以下、本発明の実施形態を説明する。
【実施例１】
【０００９】
図1に、この発明の一実施形態であるHDDムービーa-0のブロック図を示す。外部機器との通信の概要を含むものである。図中の通信処理部a-3以外は、一般的なHDDムービーの構成である。通信処理部a-3は例えばBluetoothや無線LAN等の技術によって構成してもよい。
【００１０】
なおメイン処理部（CPU）a-1は、データ入力/処理部,通信処理,調停部,操作部,表示・音声出力部等に対する動作制御を行う。Memory a-2は、 CPU a-1が使用するRAMである。操作部a-4はU/Iであり、タッチパネル、各種スイッチなどの入力手段である。
【００１１】
内部バスa-8は、制御装置とカメラ構成の為の各種のデータや、制御を通信させるためバスであるが、ここに通信処理部a-3を配置することで、外部機器(b-1,2)へ、撮影中のデータを送信したり、あるいは外部機器(b-1,2)からの制御指示コマンドをうけとり、割り込み処理を行うことにより、図2のHDDムービー(a-0)の使用例に示すように、第3者から撮像者に対して、どのように撮影したいかを伝えることができる。図2の例では、撮影者である父が被写体である愛犬コロをひいて撮影を行っているが、それを携帯電話経由で見ていた第3者である娘は、もっとズーム・アップして欲しいという要求を伝えている例である。伝達は(マイクに拾われてしまう)声や音ではなく、図３に示すようなアイコンをOSD(On Screen Display)で表示させる。（この時外部機器に側にもOSDの内容を伝える。）例えば、(a)は"もっと上に"、(b)は"もっと下に" 、(c)は"もっと左に"、・・・(l)は"ライト点燈"、(m)は"ライト消燈"などを意味する。外部機器からの制御指示は、同時に複数の端末から来ることがあるが、ソフトウエアで処理をする。
【００１２】
図４はその部分のソフトウエアのフローチャートの一例である。カメラ装置が撮影モードになると、開始する（ステップＳ１１）。外部機器からの制御指示はまずCPU a-1に対して割り込みを発生するところから始まる（ステップＳ１２）。割り込みが同時に複数来た場合には（ステップＳ１３のＹＥＳ）、（一例として）ラウンド・ロビン方式で優先権を与える。外部機器には、制御指示が受けつけられた、拒否などの結果がOSDを介して伝えられる（ステップＳ１４、Ｓ１５、Ｓ１６）。図5はその時のOSDの一例である。(a)は、コマンドが受理された場合、(b)は調停によりコマンドが拒否され、待たされている場合、(c)は撮影者の意図によるコマンドの拒否”、(d)は実際の様子の例を示している。尚、ある制御指示を受け付けている間は、他の割り込みを受け付けないよう、割り込み拒否を行っている（ステップＳ１７、Ｓ１８）。カメラ装置が撮影モードでなくなると、終了する（ステップＳ１９のＹＥＳ）。
【００１３】
図5(b)では、誰のコマンドが受理されたかは機器型名や通信会社名等により誰のどの外部機器かがわかるように設定しておくのも好適である。
なお本実施形態では、以下のような各種変形が可能である。
・図1のブロック構成において、再生・録画データのバスの帯域を大きくするまたは分けることにより、撮影中に、外部機器からは、記録したデータを再生できる。（おっかけ再生など）
【００１４】
・音声データの扱いとして、犬の声など撮影現場の音も外部機器へ飛ばす。
・HDDムービーa-0を三脚などに固定して自分撮りを行い、自分で外部機器操作を選んでHDDムービーa-0を制御する。
本実施形態ではムービーカメラにおいて、外部の通信機器(PHS・携帯電話機など)との双方向通信機能を備え、ムービーカメラの表示内容を外部機器へ送信し、外部機器からのコマンドによりカメラのアングル調整・ズーム・リサイズなどの指示を出すことを可能とした。
【００１５】
以上の実施形態の効果として次の点がある。
（１）録画中（あるいは録画直前）において、第3者が、カメラのアングル調整、ズーム・アップ／ダウン、リサイズ処理、録画の停止／開始などの制御指示を出すことができるため、より良い条件で撮影をすることができる。（主に、運動会を撮影していたお父さんが、家に帰って、カメラのアングルなどをお母さんなどからああすればよかった、こうすればよかった等、言われることがなくなる）新しい使い方の提案である。
【００１６】
（２）声や携帯電話・無線での第3者の制御指示は、その音声が拾われてしまう。また撮影者は通常片手がふさがっており、携帯電話を反対の手で操作することは可能であるが、操作がわずらわしい。本実施形態ではこれらの点を解決し、より使いやすい製品を提供することができる。
【００１７】
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００１８】
【図１】この発明の一実施形態を示すHDDムービーのブロック構成図。
【図２】同実施形態のHDDムービー(a-0)の使用例を示す図。
【図３】同実施形態のOSDで表示させる制御指示のアイコンの例を示す図。
【図４】同実施形態のソフトウエア・フローチャートの例(調停に関する処理)。
【図５】同実施形態で外部機器(b-1,2)上に表示される、制御指示の”Accepeted”,”Wait”等のメッセージの例。
【符号の説明】
【００１９】
a-0… ハードディスク・ムービー・カメラ(HDDムービー)全体のブロック構成
a-1… メイン処理部
a-2… Memory
a-3… 外部機器との通信処理部
a-4… 操作部
a-5… 内蔵HDDやSDメモリなどの外部記録媒体の制御部
a-6… HDD：ムービーカメラ内蔵ハードディスク
a-7… SDメモリなどの外部記録媒体
a-8… 制御装置とカメラ構成各種のデータや、制御を通信させるための内部BUS
a-9… センサー(カメラの目に相当)
a-10… センサーからのデータ処理やレンズ・ピント制御をするモータの制御をする手段
a-11… データ処理部：入力装置およびI/O Busからくるデータに対してノイズ低減などのフィルタ処理、データのHDDへの記録、スルーまたはHDD読出しデータの表示・音声部へのデータ供給の手段
a-12… 表示・音声制御部：データ処理部から送られるデータのLCDやスピーカー、外部出力表示の制御手段
a-13… 内蔵LCD
a-14… 内蔵スピーカー
a-15… 外部表示デバイスへの出力処理部
b-1,2… 通信手段、表示部を有する外部機器
b-3,4… 外部機器の表示部
【図１】
2009182611.tif 000003
【図２】
2009182611.tif 000004
【図３】
2009182611.tif 000005
【図４】
2009182611.tif 000006
【図５】
2009182611.tif 000007